(57)【要約】【課題】  製造が容易で、飛石等から膜部を確実に保護して、グリースの漏出や、外部から水や塵埃が侵入する事のないプロテクター一体型のボールジョイント用ダストカバーを提供することを目的とする。【解決手段】ボールスタッドの一端に形成された球頭部がソケット内に保持され、前記ボールスタッドの他端の軸部はナックルに締め付け固定され、一端大径開口部が前記ソケットの外周面に固定保持され、他端小径開ロ部が前記軸部に保持され、前記一端大径開口部と前記他端小径開口部とを連結している外側に張り出した略鼓形状の膜部を備え、前記膜部の外周面側に前記膜部を保護する為のプロテクターを設けた弾性材製ボールジョイント用ダストカバーにおいて、前記プロテクターが前記膜部と一体成形されていると共に、前記膜部の前記一端大径開口部側外周面から前記他端小径開ロ部側に向かって伸びる筒形状を呈していることを特徴とする。【選択図】図２
2015086901.tif 000002
【特許請求の範囲】
【請求項１】
ボールスタッド（１）の一端に形成された球頭部（２）がソケット（３）内に保持され、
前記ボールスタッド（１）の他端の軸部（４）はナックル（５）に締め付け固定され、一端大径開口部（６）が前記ソケット（３）の外周面に固定保持され、他端小径開ロ部（７）が前記軸部（４）に保持され、前記一端大径開口部（６）と前記他端小径開口部（７）とを連結している外側に張り出した略鼓形状の膜部（８）を備え、前記膜部（８）の外周面側に前記膜部（８）を保護する為のプロテクター（９）を設けた弾性材製ボールジョイント用ダストカバーにおいて、前記プロテクター（９）が前記膜部（８）と一体成形されていると共に、前記膜部（８）の前記一端大径開口部（６）側外周面から前記他端小径開ロ部（７）側に向かって伸びる筒形状を呈していることを特徴とするボールジョイント用ダストカバー。
【請求項２】
前記膜部（８）の外周面は、前記プロテクター（９）が接合している接合部（９１）から前記他端小径開ロ部（７）側に向かって縮径する形状であることを特徴とする請求項１記載のボールジョイント用ダストカバー。
【請求項３】
前記プロテクター（９）は、前記膜部（８）外周面の略全面を覆う形状であることを特徴とする請求項１または２記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
更に、ダストカバーを飛石等から保護するボールジョイント用ダストカバーに関する。
【背景技術】
【０００２】
従来、ボールジョイント継ぎ手部の防塵、防水を目的としてダストカバーが装着されているボールジョイントとしては、図３に示すボールジョイント用ダストカバーが知られている。（特許文献１）
【０００３】
この種ボールジョイント用ダストカバーのシール構造は、図３に示す様に、ボールスタッド１００の一端に形成された球頭部２００がソケット３００内に保持されている。
そして、ボールスタッド１００の他端の軸部４００は、ナックル５００に締め付け固定されている。
一方、ゴム状弾性材製ダストカバーの一端大径開口部６０が、ソケット３００の外周面に一端大径開口部６０に埋設した金属材製補強環６３０により固定保持され、他端小径開口部７０が軸部４００に保持された構成となっている。
そして、一端大径開口部６０と他端小径開口部７０とを連結している膜部８００全体が外側に張り出した鼓形状を呈している。
そして、このボールジョイント用ダストカバーの内部にはグリースが封入されている。
【０００４】
しかし、ボールジョイント用ダストカバーの膜部８００は、車両の足回りに使用される為、飛石等の外的要因で破損し、貫通亀裂が発生する問題を惹起した。
そして、膜部８００に貫通亀裂が発生した場合は、ボールジョイント用ダストカバー内のグリースが漏出すると共に、外部からボールジョイント用ダストカバー内に水、ダスト等が侵入し、ボールジョイントの機能が維持できなくなり、重大な事故に繋がる問題を有していた。
【０００５】
この対策として、図４に示す様な、膜部８００の外周面に一体的に設けられ、他端小径開口部７０から一端大径開口部６０に向かって伸びる傘状のプロテクター９００で膜部８００を飛石等から保護する構造のボールジョイント用ダストカバーが提案された。（特許文献２）
【０００６】
しかし、プロテクター９００が他端小径開口部７０から一端大径開口部６０に向かって伸びる構成となっている為、一体成形する事は非常に困難であると共に、図３に示す様に、軸部４００が傾斜した場合、軸部４００と一体となってプロテクター９００も傾斜する為、傾斜した一方（図３に於いて右側）の膜部８００の一端大径開口部６０側が、プロテクター９００により保護されなくなり（膜部８００が外部に直接曝される）、この箇所に於いて、プロテクター９００が機能しない為、飛石等により膜部８００が破損される危険性を招来した。
【０００７】
この改良型として、図５に示す構造のものが提案された。（特許文献２）
すなわち、プロテクター９００をダストカバーと別体に製作した後、両者を組み合わせる構造のものであるが、図４に示した構造のダストカバーの製造が困難である問題は解決出来るが、別々に製作する為、製造コストが嵩むと共に、図４の構造のダストカバーと同様に、プロテクター９００が他端小径開口部７０から一端大径開口部６０に向かって伸びる構成となっている為、図３に示す様に、軸部４００が傾斜した場合、軸部４００と一体となってプロテクター９００も傾斜する為、傾斜した一方（図３に於いて右側）の膜部８００の一端大径開口部６０側が、プロテクター９００により保護されなくなり（膜部８００が外部に直接曝される）、この箇所に於いて、プロテクター９００が機能しない為、飛石等により膜部８００が破損される危険性を招来した。
【先行技術文献】
【特許文献】
【０００８】
【特許文献１】特開２００９−２４８３４号公報
【特許文献２】特開平４−８９０７号公報
【発明の開示】
【発明が解決しようとする課題】
【０００９】
本発明は、このような課題に鑑みてなされたものであり、製造が容易で、飛石等から膜部を確実に保護して、グリースの漏出や、外部から水や塵埃が侵入する事のないプロテクター一体型のボールジョイント用ダストカバーを提供することを目的とする。
【課題を解決するための手段】
【００１０】
本発明に係るボールジョイント用ダストカバーは、ボールスタッドの一端に形成された球頭部がソケット内に保持され、前記ボールスタッドの他端の軸部はナックルに締め付け固定され、一端大径開口部が前記ソケットの外周面に固定保持され、他端小径開ロ部が前記軸部に保持され、前記一端大径開口部と前記他端小径開口部とを連結している外側に張り出した略鼓形状の膜部を備え、前記膜部の外周面側に前記膜部を保護する為のプロテクターを設けた弾性材製ボールジョイント用ダストカバーにおいて、前記プロテクターが前記膜部と一体成形されていると共に、前記膜部の前記一端大径開口部側外周面から前記他端小径開ロ部側に向かって伸びる筒形状を呈していることを特徴とする。
【発明の効果】
【００１１】
本発明は、以下に記載されるような効果を奏する。
請求項１記載の発明のボールジョイント用ダストカバーによれば、プロテクターが膜部と一体成形されていると共に、膜部の一端大径開口部側外周面から他端小径開ロ部側に向かって伸びる筒形状を呈している構成としている為、製造が容易で、飛石等から膜部を確実に保護して、グリースの漏出や、外部から水や塵埃が侵入する事が無い。
更に、請求項２記載の発明のボールジョイント用ダストカバーによれば、膜部の外周面は、プロテクターが接合している接合部から他端小径開ロ部側に向かって縮径する形状としている為、膜部の外周面とプロテクター内周面との間に存在する成形金型を容易に取り外す事が出来る為、成形が容易である。
【００１２】
更に、請求項３記載の発明のボールジョイント用ダストカバーによれば、プロテクターは、膜部外周面の略全面を覆う形状としている為、飛石等から膜部をより確実に保護出来る。
【図面の簡単な説明】
【００１３】
【図１】本発明に係るボールジョイント用ダストカバーの装着前の縦断面図。
【図２】図１のボールジョイント用ダストカバーをボールジョイントに装着した縦断面図。
【図３】従来技術に係るボールジョイント用ダストカバーの縦断面図。
【図４】従来技術に係る他のボールジョイント用ダストカバーの縦断面図。
【図５】従来技術に係る更なる他のボールジョイント用ダストカバーの縦断面図。
【発明を実施するための形態】
【００１４】
以下、本発明を実施するための形態について説明する。
図１及び図２に示される様に、本発明に係るボールジョイント用ダストカバーの態様は、
ボールスタッド１の一端に形成された球頭部２がソケット３内に保持され、このボールスタッド１の他端の軸部４はナックル５に締め付け固定され、一端大径開口部６がソケット３の外周面に固定保持され、他端小径開ロ部７が軸部４に保持され、一端大径開口部６と他端小径開口部７とを連結している外側に張り出した略鼓形状の膜部８を備え、この膜部８の外周面側に膜部８を保護する為のプロテクター９を設ける基本的構成を備えている。
【００１５】
そして、このプロテクター９は、膜部８と同一材料で膜部８と一体成形され、膜部８の一端大径開口部６側外周面から他端小径開ロ部７側に向かって伸びる筒形状を呈している。
この様な構成としている為、製造が容易で、飛石等から膜部８を確実に保護して、グリースの漏出や、外部から水や塵埃が侵入する事が無い。
【００１６】
より具体的には、図２に示す様に、軸部４が傾斜したとしても、圧縮側（図上左側）においては、プロテクター９が膜部８の変形に沿って変形し、引張り側（図上右側）においては、膜部８と同じようにプロテクター９も左側に傾斜する為、プロテクター９による膜部８を保護する領域は、傾斜する前と殆ど変らない。
【００１７】
これは、プロテクター９が膜部８の一端大径開口部６側に一体成形され、一端大径開口部６側外周面から他端小径開ロ部７側に向かって伸びる筒形状を呈する構成としている為である。
【００１８】
また、膜部８の外周面は、プロテクター９が接合している接合部９１から他端小径開ロ部７側に向かって縮径する形状としている為、膜部８の外周面とプロテクター９内周面との間に存在する成形金型を容易に取り外す事が出来る為、成形が容易である。
【００１９】
更に、プロテクター９は、膜部８外周面の略全面を覆う形状としている為、飛石等から膜部８をより確実に保護出来る。
【００２０】
本実施例では、プロテクター９を完全な筒形状として示したが、円周上等配の切込を設け、複数個に分割した形状としても良い。この様な構造とする事により、プロテクター９の変形を容易にする事が出来る。
【００２１】
また、ダストカバーの材質は、クロロプレン等のゴム状弾性材や、ポリエステル系エラストマー、熱可塑性ポリウレタン等の熱可塑性エラストマーから、適宜用途に合わせ選択して使用される。
【００２２】
また、本発明は上述の発明を実施するための最良の形態に限らず本発明の要旨を逸脱することなくその他種々の構成を採り得ることはもちろんである。
【産業上の利用可能性】
【００２３】
自動車の懸架装置及び操舵装置等に使用されるボールジョイントに使用できる。
【符号の説明】
【００２４】
１    ボールスタッド
２    球頭部
３    ソケット
４    軸部
５    ナックル
６    一端大径開口部
７    他端小径開口部
８    膜部
９    プロテクター
９１  接合部
【図１】
2015086901.tif 000003
【図２】
2015086901.tif 000004
【図３】
2015086901.tif 000005
【図４】
2015086901.tif 000006
【図５】
2015086901.tif 000007